(57)【要約】【課題】原稿や出力媒体等に付した無線交信素子を用いて、付加価値を高めた画像を出力できる画像出力装置を提供する。【解決手段】近接無線交信が可能な第１の無線交信素子から情報を受信可能な受信手段と、前記第１の無線交信素子から受信した情報から出力する画像の画像データを形成する画像処理手段と、前記画像処理手段によって形成された画像データから、出力媒体に画像を出力する画像出力手段とを備えることによって、出力する画像に第１の無線交信素子から受信した情報を反映させて付加価値を高めた画像を出力する。【選択図】        図１
2005225100.tif 000002
【特許請求の範囲】
【請求項１】
近接無線交信が可能な第１の無線交信素子から情報を受信可能な受信手段と、
前記第１の無線交信素子から受信した情報から出力する画像の画像データを形成する画像処理手段と、
前記画像処理手段によって形成された画像データから、出力媒体に画像を出力する画像出力手段と
を備えたことを特徴とする画像出力装置。
【請求項２】
前記第１の無線交信素子は、画像が記録された原稿に付されていることを特徴とする請求項１に記載の画像出力装置。
【請求項３】
前記受信手段が前記第１の無線交信素子から受信した情報は、圧縮されたイメージデータ、または、ＰＤＦファイルであることを特徴する請求項１または２に記載の画像出力装置。
【請求項４】
ネットワークを介して情報を送受信可能な通信制御手段をさらに備え、
前記通信制御手段は、前記受信手段が前記第１の無線交信素子から受信した情報に対応するコンテンツを、前記ネットワークを介して受信し、
前記画像処理手段は、前記コンテンツから、出力する画像の画像データを形成することを特徴とする請求項１〜３のいずれか一項に記載の画像出力装置。
【請求項５】
前記受信手段が前記第１の無線交信素子から受信した情報は、インターネットアドレス情報であり、
前記通信制御手段は、前記ネットワークを介して、前記インターネットアドレス情報に対応するＨＴＭＬファイルを受信し、
前記画像処理手段は、前記ＨＴＭＬファイルから、前記画像データを形成することを特徴とする請求項４に記載の画像出力装置。
【請求項６】
情報を記憶した大容量記憶媒体をさらに備え、
前記画像処理手段は、前記受信手段が前記第１の無線交信素子から受信した情報と対応する情報を前記大容量記憶媒体から検出し、前記大容量記憶媒体から検出された情報から前記画像データを形成することを特徴とする請求項１〜５のいずれか一項に記載の画像出力装置。
【請求項７】
前記原稿から当該原稿に記録された画像の画像情報を読み取る画像読取手段をさらに備え、
前記画像処理手段は、前記画像読取手段が読み取った前記画像情報と、前記受信手段が前記第１の無線交信素子から受信した情報とから、出力する画像の画像データを形成することを特徴とする請求項２に記載の画像出力装置。
【請求項８】
前記第１の無線交信素子から受信した情報は、前記原稿に記録された画像の画像情報であり、
前記画像処理手段は、前記画像読取手段が読み取った前記画像情報と、前記受信手段が前記第１の無線交信素子から受信した情報とを比較し、略一致している場合は前記第１の無線交信素子から受信した情報から出力する画像の画像データを形成することを特徴とする請求項７に記載の画像出力装置。
【請求項９】
前記受信手段が前記第１の無線交信素子から受信した情報は、当該第１の無線交信素子が付された原稿に記載された画像の構成情報であり、
前記画像読取手段は、前記画像の構成情報に従って、前記原稿から画像情報を読み取り、
前記画像処理手段は、前記画像の構成情報に従って、前記画像読取手段が読み取った画像情報に画像処理を施すことにより、出力する画像の画像データを形成することを特徴とする請求項７または８に記載の画像出力装置。
【請求項１０】
前記受信手段が前記第１の無線交信素子から受信した情報は、当該第１の無線交信素子が付された原稿に記録された画像のうち秘匿情報に該当する画像に関する情報であり、
前記画像処理手段は、前記原稿に記録された画像から前記秘匿情報に該当する画像の一部またはすべてを削除した画像データを形成することを特徴とする請求項７〜９のいずれか一項に記載の画像出力装置。
【請求項１１】
前記受信手段が前記第１の無線交信素子から受信した情報は、当該第１の無線交信素子が付された原稿に記録された画像のうち、秘匿情報に該当する画像に関する情報であり、
前記画像処理手段は、前記原稿に記録された画像のうち前記秘匿情報に該当する画像の一部またはすべてを秘匿でない情報に変更した画像データを形成することを特徴とする請求項７〜１０のいずれか一項に記載の画像出力装置。
【請求項１２】
前記受信手段が前記第１の無線交信素子から受信した情報は、当該第１の無線交信素子が付された原稿に記録されていない情報であり、
前記画像処理手段は、前記原稿に記録されていない情報を含む画像データを形成することを特徴とする請求項７〜１１のいずれか一項に記載の画像出力装置。
【請求項１３】
近接無線交信が可能な第１の無線交信素子から情報を受信可能な受信手段と、
出力媒体に画像を出力する画像出力手段と
を備えた画像出力装置であって、
前記受信手段が前記第１の無線交信素子から受信した情報は、前記出力媒体に関する情報であり、
前記画像出力手段は、前記出力媒体に関する情報から画像の出力条件を決定し、当該出力条件に従って画像を出力することを特徴とする画像出力装置。
【請求項１４】
前記第１の無線交信素子は、前記出力媒体を梱包する梱包材に付されていることを特徴とする請求項１３に記載の画像出力装置。
【請求項１５】
前記第１の無線交信素子は、前記出力媒体に付されていることを特徴とする請求項１３に記載の画像出力装置。
【請求項１６】
出力される画像の画像データを形成する画像処理手段をさらに備え、
前記画像処理手段は、前記出力媒体に関する情報から、当該出力媒体に対して出力される画像が最適となるような画像処理を施した画像データを形成し、
前記画像出力手段は、前記画像処理手段によって形成された画像データから、画像を出力することを特徴とする請求項１３〜１５のいずれか一項に記載の画像出力装置。
【請求項１７】
近接無線交信が可能な第２の無線交信素子に対して情報を書込可能な書込手段をさらに備え、
前記書込手段は、前記第２の無線交信素子に対して、前記画像出力手段が前記出力媒体に出力した画像に関連する情報を書き込むことを特徴とする請求項１〜１６のいずれか一項に記載の画像出力装置。
【請求項１８】
近接無線交信が可能な無線交信素子に対して情報を書込可能な書込手段と、
出力媒体に画像を出力する画像出力手段と
を備えた画像出力装置であって、
前記書込手段は、前記無線交信素子に対して、前記画像出力手段が出力した画像に関連する情報を書き込むことを特徴とする画像出力装置。
【請求項１９】
前記無線交信素子は予め前記出力媒体に付されていることを特徴とする請求項１８に記載の画像出力装置。
【請求項２０】
前記画像出力手段によって画像が出力された出力媒体に対して、前記書込手段によって当該画像に関連する情報を書き込まれた無線交信素子を付する無線交信素子付加手段をさらに備えたことを特徴とする請求項１８に記載の画像出力装置。
【請求項２１】
前記出力した画像に関連する情報は、当該画像の画像データであることを特徴とする請求項１８〜２０のいずれか一項に記載の画像出力装置。
【請求項２２】
前記出力した画像に関連する情報は、当該画像の画像データの所在情報であることを特徴とする請求項１８〜２１のいずれか一項に記載の画像出力装置。
【請求項２３】
前記出力した画像に関連する情報は、当該画像の画像処理方法であることを特徴とする請求項１８〜２２のいずれか一項に記載の画像出力装置。
【請求項２４】
前記出力した画像に関連する情報は、当該画像が前記出力媒体に出力された際の出力情報であることを特徴とする請求項１８〜２３のいずれか一項に記載の画像出力装置。
【発明の詳細な説明】
【技術分野】
【０００１】
本発明は、画像出力装置に関し、特に、原稿や出力媒体等に付された無線交信素子から受信した情報を利用して画像を出力することができる画像出力装置に関する。
【背景技術】
【０００２】
企業等では、近年のインターネット、パソコンを始めとするＩＴの普及により、その知的生産活動において自ら多種多様の電子情報を作成し、作成した電子情報を複写機、プリンタ等の画像出力装置により紙に出力している。出力された書類は、情報共有の手段として会議等で配布され、知的生産活動に活用されている。配布された書類は受け取った人が持ち帰り、そのままの状態で保管されるか、画像読取装置により画像情報としてJPEGなどのイメージファイルに変換され保管される。これらを更なる知的生産活動のための情報源として活用するために、配布された書類を更に複写したり、変換したJEPGなどのイメージファイルから直接出力したり、このイメージファイルをパソコンなどで加工してから出力している。
【０００３】
このように受け取った書類そのものはアナログ情報であるが、情報を再利用、再加工するためにデジタル情報として取り扱う場合、そのアナログ情報からデジタル情報への変換を光学的な画像読取装置を使って行う。原稿にはテキスト、グラフや表、イメージが混在している場合が考えられるが、画像読取装置では全てイメージ情報としてデジタル情報を取得している。
【０００４】
しかしながら、画像読取装置による光学変換の際には、レンズやＣＣＤのＭＴＦ特性と言った物理的な要因のために情報品質の劣化が生じてしまう。また、イメージ情報では情報量が大きいため、画像圧縮などの情報量を軽減する処理が施されるが、圧縮率によっては更に情報品質の劣化を招くといった問題がある。また、原稿に含まれる文書情報は、ＯＣＲ等の画像処理によりテキストデータとして抽出することが可能ではあるが、変換精度の問題もあり、原稿からの情報品質の劣化は免れない。
【０００５】
出力された書類は、作成者がパソコンを使って電子的に作成し、何らかの画像出力装置によって出力されたものであり、原稿自体の電子情報は存在している。この電子情報を出力した書類と共に渡すことは可能であるが、ＦＤ、ＣＤ−ＲＯＭ、ＣＤ−Ｒなどの別の記憶媒体で渡すか、別途インターネットを介して電子メールで送る必要があるため、電子情報を渡すのにも手間がかかる。
【０００６】
一方、非特許文献１にあるように、個別情報を電子的に保持して電磁誘導により非接触で情報伝達するＩＤ素子（RFID：Radio Frequency IDentification）技術が開発され、物の識別管理のために応用され始めている。ＩＤ素子を用いた個体認識方式は、流通分野におけるバーコードに替わる技術として注目されているものである。
【０００７】
【特許文献１】特開２００２−３３７４２６号公報
【特許文献２】特開２００２−１９０９１１号公報
【特許文献３】特開２００２−１３２４７４号公報
【非特許文献１】「モノに情報を貼り付ける  ＲＦＩＤタグとその応用」情報処理学会誌４０巻８号ｐ８４６〜８５０、１９９９年８月
【発明の開示】
【発明が解決しようとする課題】
【０００８】
上述のように、配布された紙または書類を複写する際に、原稿上にはアナログ情報しか存在しておらず、画像読取装置によりデジタル情報に置き換えてから出力するため、必然的に画像品質が劣化すると言う欠点があった。
また、紙または書類として配布された情報を再利用、再加工するためには、その書類を参照してパソコンで新たに電子情報を作成する、画像読取装置を用いてＪＰＥＧなどのイメージファイルとして取り込む、情報作成者に問い合わせて原稿そのものの電子情報を取得するなどの方法が考えられるが、何れも手間が必要となる。
【０００９】
原稿から直接電子情報を得る手段の一例として、参照するインターネットアドレスを文字としてカタログ等に表示しているものもあるが、原稿そのものから電子情報を取得する、出力するという考え方は存在していない。
【００１０】
本発明は、上記に鑑みてなされたものであって、原稿に付した無線交信素子や出力媒体に付した無線交信素子を用いて、原稿に対して付加価値を高めた上で画像を出力する装置を提供することを目的とする。
【課題を解決するための手段】
【００１１】
上述した課題を解決し、目的を達成するために、請求項１にかかる発明は、近接無線交信が可能な第１の無線交信素子から情報を受信可能な受信手段と、前記第１の無線交信素子から受信した情報から出力する画像の画像データを形成する画像処理手段と、前記画像処理手段によって形成された画像データから、出力媒体に画像を出力する画像出力手段とを備えたことを特徴とする。
この請求項１にかかる発明によれば、第１の無線交信素子から受信した電子情報から、出力する画像データを形成する。
【００１２】
また、請求項２にかかる発明は、請求項１にかかる発明において、前記第１の無線交信素子は、画像が記録された原稿に付されていることを特徴とする。
この請求項２にかかる発明によれば、原稿に付された第１の無線交信素子から情報を受信する。
【００１３】
また、請求項３にかかる発明は、請求項１または２にかかる発明において、前記受信手段が前記第１の無線交信素子から受信した情報は、圧縮されたイメージデータ、または、ＰＤＦファイルであることを特徴とする。
この請求項３にかかる発明によれば、圧縮されたイメージデータ、または、ＰＤＦファイルから、出力する画像データを形成する。
【００１４】
また、請求項４にかかる発明は、請求項１〜３のいずれか一項にかかる発明において、ネットワークを介して情報を送受信可能な通信制御手段をさらに備え、前記通信制御手段は、前記受信手段が前記第１の無線交信素子から受信した情報に対応するコンテンツを、前記ネットワークを介して受信し、前記画像処理手段は、前記コンテンツから、出力する画像の画像データを形成することを特徴とする。
この請求項４にかかる発明によれば、ネットワークを介して受信したコンテンツから、出力する画像データを形成する。
【００１５】
また、請求項５にかかる発明は、請求項４にかかる発明において、前記受信手段が前記第１の無線交信素子から受信した情報は、インターネットアドレス情報であり、前記通信制御手段は、前記ネットワークを介して、前記インターネットアドレス情報に対応するＨＴＭＬファイルを受信し、前記画像処理手段は、前記ＨＴＭＬファイルから、前記画像データを形成することを特徴とする。
この請求項５にかかる発明によれば、インターネットアドレス情報に基づいて受信したＨＴＭＬファイルから、出力する画像データを形成する。
【００１６】
また、請求項６にかかる発明は、請求項１〜５のいずれか一項にかかる発明において、情報を記憶した大容量記憶媒体をさらに備え、前記画像処理手段は、前記受信手段が前記第１の無線交信素子から受信した情報と対応する情報を前記大容量記憶媒体から検出し、前記大容量記憶媒体から検出された情報から前記画像データを形成することを特徴とする。
この請求項６にかかる発明によれば、大容量記憶媒体から検出された情報から、出力する画像データを形成する。
【００１７】
また、請求項７にかかる発明は、請求項１にかかる発明において、前記原稿から当該原稿に記録された画像の画像情報を読み取る画像読取手段をさらに備え、前記画像処理手段は、前記画像読取手段が読み取った前記画像情報と、前記受信手段が前記第１の無線交信素子から受信した情報とから、出力する画像の画像データを形成することを特徴とする。
この請求項７にかかる発明によれば、画像読取手段が読み取った画像情報と、前記第１の無線交信素子から受信した情報とから、出力する画像データを形成する。
【００１８】
また、請求項８にかかる発明は、請求項７にかかる発明において、前記第１の無線交信素子から受信した情報は、前記原稿に記録された画像の画像情報であり、前記画像処理手段は、前記画像読取手段が読み取った前記画像情報と、前記受信手段が前記第１の無線交信素子から受信した情報とを比較し、略一致している場合は前記第１の無線交信素子から受信した情報から出力する画像の画像データを形成することを特徴とする。
この請求項８にかかる発明によれば、画像読取手段が読み取った画像情報と、第１の無線交信素子から受信した画像情報とを比較して、略一致している場合に、第１の無線交信素子から受信した画像情報から、出力する画像データを形成する。
【００１９】
また、請求項９にかかる発明は、請求項７または８にかかる発明において、前記受信手段が前記第１の無線交信素子から受信した情報は、当該第１の無線交信素子が付された原稿に記載された画像の構成情報であり、前記画像読取手段は、前記画像の構成情報に従って、前記原稿から画像情報を読み取り、前記画像処理手段は、前記画像の構成情報に従って、前記画像読取手段が読み取った画像情報に画像処理を施すことにより、出力する画像の画像データを形成することを特徴とする。
この請求項９にかかる発明によれば、第１の無線交信素子から受信した画像の構成情報に従って、画像を読み取るとともに、読み取った画像情報に画像処理を施す。
【００２０】
また、請求項１０にかかる発明は、請求項７〜９のいずれか一項にかかる発明において、前記受信手段が前記第１の無線交信素子から受信した情報は、当該第１の無線交信素子が付された原稿に記録された画像のうち秘匿情報に該当する画像に関する情報であり、前記画像処理手段は、前記原稿に記録された画像から前記秘匿情報に該当する画像の一部またはすべてを削除した画像データを形成することを特徴とする。
この請求項１０にかかる発明によれば、秘匿情報に該当する情報の一部またはすべてを削除した画像を出力する。
【００２１】
また、請求項１１にかかる発明は、請求項７〜１０にかかる発明において、前記受信手段が前記第１の無線交信素子から受信した情報は、当該第１の無線交信素子が付された原稿に記録された画像のうち、秘匿情報に該当する画像に関する情報であり、前記画像処理手段は、前記原稿に記録された画像のうち前記秘匿情報に該当する画像の一部またはすべてを秘匿でない情報に変更した画像データを形成することを特徴とする。
この請求項１１にかかる発明によれば、秘匿情報に該当する情報の一部またはすべてを秘匿でない情報に変更した画像を出力する。
【００２２】
また、請求項１２にかかる発明は、請求項７〜１１のいずれか一項にかかる発明において、前記受信手段が前記第１の無線交信素子から受信した情報は、当該第１の無線交信素子が付された原稿に記録されていない情報であり、前記画像処理手段は、前記原稿に記録されていない情報を含む画像データを形成することを特徴とする。
この請求項１２にかかる発明によれば、原稿には記録されていない情報を含む画像を出力する。
【００２３】
また、請求項１３にかかる発明は、近接無線交信が可能な第１の無線交信素子から情報を受信可能な受信手段と、出力媒体に画像を出力する画像出力手段とを備えた画像出力装置であって、前記受信手段が前記第１の無線交信素子から受信した情報は、前記出力媒体に関する情報であり、前記画像出力手段は、前記出力媒体に関する情報から画像の出力条件を決定し、当該出力条件に従って画像を出力することを特徴とする。
この請求項１３にかかる発明によれば、第１の無線交信素子から受信した出力媒体に関する情報から画像の出力条件を決定し、当該出力条件に従って画像を出力する。
【００２４】
また、請求項１４にかかる発明は、請求項１３にかかる発明において、前記第１の無線交信素子は、前記出力媒体を梱包する梱包材に付されていることを特徴とする。
この請求項１４にかかる発明によれば、出力媒体を梱包する梱包材に付された第１の無線交信素子から情報を受信する。
【００２５】
また、請求項１５にかかる発明は、請求項１３にかかる発明において、前記第１の無線交信素子は、前記出力媒体に付されていることを特徴とする。
この請求項１５にかかる発明によれば、出力媒体に付された第１の無線交信素子から情報を受信する。
【００２６】
また、請求項１６にかかる発明は、請求項１３〜１５のいずれか一項にかかる発明において、出力される画像の画像データを形成する画像処理手段をさらに備え、前記画像処理手段は、前記出力媒体に関する情報から、当該出力媒体に対して出力される画像が最適となるような画像処理を施した画像データを形成し、前記画像出力手段は、前記画像処理手段によって形成された画像データから、画像を出力することを特徴とする。
この請求項１６にかかる発明によれば、第１の無線交信素子から受信した出力媒体に関する情報から出力媒体に対して出力される画像データが最適となるような画像処理を施して、出力する画像データを形成する。
【００２７】
また、請求項１７にかかる発明は、請求項１〜１６のいずれか一項にかかる発明において、近接無線交信が可能な第２の無線交信素子に対して情報を書込可能な書込手段をさらに備え、前記書込手段は、前記第２の無線交信素子に対して、前記画像出力手段が前記出力媒体に出力した画像に関連する情報を書き込むことを特徴とする。
この請求項１７にかかる発明によれば、第２の無線交信素子に出力した画像に関連する情報を書き込む。
【００２８】
また、請求項１８にかかる発明は、近接無線交信が可能な無線交信素子に対して情報を書込可能な書込手段と、出力媒体に画像を出力する画像出力手段とを備えた画像出力装置であって、前記書込手段は、前記無線交信素子に対して、前記画像出力手段が出力した画像に関連する情報を書き込むことを特徴とする。
この請求項１８にかかる発明によれば、無線交信素子に出力した画像に関連する情報を書き込む。
【００２９】
また、請求項１９にかかる発明は、請求項１８にかかる発明において、前記無線交信素子は予め前記出力媒体に付されていることを特徴とする。
この請求項１９にかかる発明によれば、予め出力媒体に付された無線交信素子に情報を書き込む。
【００３０】
また、請求項２０にかかる発明は、請求項１８にかかる発明において、前記画像出力手段によって画像が出力された出力媒体に対して、前記書込手段によって当該画像に関連する情報を書き込まれた無線交信素子を付する無線交信素子付加手段をさらに備えたことを特徴とする。
この請求項２０にかかる発明によれば、画像が出力された出力媒体に、情報を書き込んだ無線交信素子を付加する。
【００３１】
また、請求項２１にかかる発明は、請求項１８〜２０のいずれか一項にかかる発明において、前記出力した画像に関連する情報は、当該画像の画像データであることを特徴とする。
この請求項２１にかかる発明によれば、無線交信素子に、出力した画像の画像データを書き込む。
【００３２】
また、請求項２２にかかる発明は、請求項１８〜２１のいずれか一項にかかる発明において、前記出力した画像に関連する情報は、当該画像の画像データの所在情報であることを特徴とする。
この請求項２２にかかる発明によれば、無線交信素子に、出力した画像の画像データの所在情報を書き込む。
【００３３】
また、請求項２３にかかる発明は、請求項１８〜２２のいずれか一項にかかる発明において、前記出力した画像に関連する情報は、当該画像の画像処理方法であることを特徴とする。
この請求項２３にかかる発明によれば、無線交信素子に、出力した画像の画像処理方法を書き込む。
【００３４】
また、請求項２４にかかる発明は、請求項１８〜２３のいずれか一項にかかる発明において、前記出力した画像に関連する情報は、当該画像が前記出力媒体に出力された際の出力情報であることを特徴とする。
この請求項２４にかかる発明によれば、無線交信素子に、画像が出力された際の出力情報を書き込む。
【発明の効果】
【００３５】
本発明（請求項１）にかかる画像出力装置は、第１の無線交信素子から受信した電子情報から出力する画像データを形成するため、画像を美しく複写する、原稿にない情報を付加した画像を出力できる等、付加価値を高めた画像を出力できるという効果を奏する。
【００３６】
また、本発明（請求項２）にかかる画像出力装置は、画像が記録された原稿に付された第１の無線交信素子から情報を受信するため、出力前に出力される画像を原稿から予め確認することができ、また、出力後は正しい画像が出力されたかどうかを原稿と出力物を対比することにより容易に確認することができるという効果を奏する。
【００３７】
また、本発明（請求項３）にかかる画像出力装置は、圧縮されたイメージデータ、または、ＰＤＦファイルから出力する画像データを形成するため、高品位な画像を出力できるという効果を奏する。
【００３８】
また、本発明（請求項４）にかかる画像出力装置は、ネットワークを介して受信したコンテンツから出力する画像データを形成するため、第１の無線交信素子には出力の対象となる電子情報の所在情報だけを記憶させればいいので記憶させるメモリ容量を最小限に押さえることが可能となり、第１の無線交信素子を小型化、低コスト化できる。また、出力の対象となる電子情報はネットワークを介して取得されるため、高品位な画像を出力できるという効果を奏する。
【００３９】
また、本発明（請求項５）にかかる画像出力装置は、インターネットアドレス情報に基づいて受信したＨＴＭＬファイルから出力する画像データを形成するため、第１の無線交信素子には出力の対象となるＨＴＭＬファイルのインターネットアドレス情報だけを記憶させればいいので記憶させるメモリ容量を最小限に押さえることが可能となり、第１の無線交信素子を小型化、低コスト化できる。また、出力の対象となる電子情報はHTMLファイルであるため、高品位な画像を出力できるという効果を奏する。
【００４０】
また、本発明（請求項６）にかかる画像出力装置は、大容量記憶媒体から検出された情報から出力する画像データを形成するため、第１の無線交信素子には出力の対象となる情報の所在情報だけを記憶させればいいので記憶させるメモリ容量を最小限に押さえることが可能となり、第１の無線交信素子を小型化、低コスト化できる。また、出力の対象となる電子情報は大容量記憶媒体から取得されるため、高品位な画像を出力できるという効果を奏する。
【００４１】
また、本発明（請求項７）にかかる画像出力装置は、画像読取手段が読み取った画像情報と、前記第１の無線交信素子から受信した情報とから、出力する画像データを形成するため、適切な画像を出力できるという効果を奏する。
【００４２】
また、本発明（請求項８）にかかる画像出力装置は、画像読取手段が読み取った画像情報と、第１の無線交信素子から受信した画像情報とを比較して、略一致している場合に、第１の無線交信素子から受信した画像情報から出力する画像データを形成するため、第１の無線交信素子に誤った情報が記録されている場合、誤った情報に基づいた印刷を未然に防止することができるという効果を奏する。
【００４３】
また、本発明（請求項９）にかかる画像出力装置は、第１の無線交信素子から受信した画像の構成情報に従って、画像を読み取るとともに、読み取った画像情報に画像処理を施すため、高品位な画像を出力できるという効果を奏する。
【００４４】
また、本発明（請求項１０）にかかる画像出力装置は、秘匿情報に該当する情報の一部またはすべてを削除した画像を出力するため、原稿に記載された画像から秘匿情報が複写されるのを防ぎ、差し支えのない情報のみを出力させることができるという効果を奏する。
【００４５】
また、本発明（請求項１１）にかかる画像出力装置は、秘匿情報に該当する情報の一部またはすべてを秘匿でない情報に変更した画像を出力するため、原稿に記載された画像から秘匿情報が複写されるのを防ぎ、差し支えのない情報のみを出力させることができるという効果を奏する。
【００４６】
また、本発明（請求項１２）にかかる画像出力装置は、原稿には記録されていない情報を含む画像を出力するため、原稿作成時には掲載することのできなかった最新情報をリアルタイムで追記して出力したり、秘匿情報を原稿に追記して出力できるという効果を奏する。
【００４７】
また、本発明（請求項１３）にかかる画像出力装置は、第１の無線交信素子から受信した出力媒体に関する情報から画像の出力条件を決定し、当該出力条件に従って画像を出力するため、出力媒体に対して最適な条件で出力することができ、高品位な画像が得られるという効果を奏する。
【００４８】
また、本発明（請求項１４）にかかる画像出力装置は、出力媒体を梱包する梱包材に付された第１の無線交信素子から情報を受信するため、第１の無線交信素子から受信した情報とは異なる出力媒体に対して、不適切な条件で画像を出力するのを防止できるという効果を奏する。
【００４９】
また、本発明（請求項１５）にかかる画像出力装置は、出力媒体に付された第１の無線交信素子から情報を受信するため、第１の無線交信素子から受信した情報とは異なる出力媒体に誤って出力するのを防止できるという効果を奏する。
【００５０】
また、本発明（請求項１６）にかかる画像出力装置は、第１の無線交信素子から受信した出力媒体に関する情報から出力媒体に対して出力される画像データが最適となるような画像処理を施して出力する画像データを形成するため、高品位な画像を出力できるという効果を奏する。
【００５１】
また、本発明（請求項１７）にかかる画像出力装置は、第２の無線交信素子に出力した画像に関連する情報を書き込むため、得られる出力物を次工程で原稿として利用する場合にも、付加価値を高めた画像を出力できるという効果を奏する。
【００５２】
また、本発明（請求項１８）にかかる画像出力装置は、無線交信素子に出力した画像に関連する情報を書き込むため、得られる出力物を次工程で原稿として利用する場合にも、付加価値を高めた画像を出力できるという効果を奏する。
【００５３】
また、本発明（請求項１９）にかかる画像出力装置は、予め出力媒体に付された無線交信素子に情報を書き込むため、出力物と、出力した画像に関連する情報が書き込まれた無線交信素子とが一体化される。このため、得られる出力物を次工程で原稿として利用する場合、出力前に出力される画像を予め確認することができ、また、出力後は正しい画像が出力されたか容易に確認することができるという効果を奏する。
【００５４】
また、本発明（請求項２０）にかかる画像出力装置は、画像が出力された出力媒体に、情報を書き込んだ無線交信素子を付加するため、出力物と、出力した画像に関連する情報が書き込まれた無線交信素子とが一体化される。このため、得られる出力物を次工程で原稿として利用する場合、出力前に出力される画像を予め確認することができ、また、出力後は正しい画像が出力されたかを容易に確認することができる。
【００５５】
また、本発明（請求項２１）にかかる画像出力装置は、無線交信素子に出力した画像の画像データを書き込むため、得られる出力物を次工程で原稿として利用する場合に無線交信素子から画像データを取得することにより、高品位な画像を出力できるという効果を奏する。
【００５６】
また、本発明（請求項２２）にかかる画像出力装置は、無線交信素子に、出力した画像の画像データの所在情報を書き込むため、得られる出力物を次工程で原稿として利用する場合に無線交信素子から画像データの所在情報を取得し、この所在情報に対応する画像データを受信することにより、高品位な画像を出力できるという効果を奏する。
【００５７】
また、本発明（請求項２３）にかかる画像出力装置は、無線交信素子に、出力した画像の画像処理方法を書き込むため、得られる出力物を次工程で原稿として利用する場合に無線交信素子から画像処理方法を取得することにより、高品位な画像を出力できるという効果を奏する。
【００５８】
また、本発明（請求項２４）にかかる画像出力装置は、無線交信素子に、画像が出力された際の出力情報を書き込むため、得られる出力物を次工程で原稿として利用する場合に無線交信素子から画像が出力された際の出力情報を取得することにより、出力する画像の出所が確認できるという効果を奏する。
【発明を実施するための最良の形態】
【００５９】
以下に添付図面を参照して、この発明にかかる画像出力装置の最良な実施の形態を詳細に説明する。
【００６０】
（第１の実施の形態）
図１は、本発明の第１の実施の形態にかかる画像出力装置の構成を示す斜視図である。第１の実施の形態にかかる画像出力装置１００は、原稿３００に付されている無線交信素子２００から画像情報を受信し、無線交信素子２００から受信した画像情報に基づいて出力媒体４００に画像を出力する機能を備えている。なお、原稿３００に無線交信素子２００が付されていない場合は、原稿３００に記載された画像を読み取って出力媒体４００に複写する。
【００６１】
第１の実施の形態にかかる画像出力装置１００は、原稿３００の画像情報を読み取る画像読取部１１０と、原稿３００に付した無線交信素子２００と交信して必要な情報を取得または書き込む受信部１２０と、取得した情報を出力するためのデータに変換する画像処理部１３０と、出力媒体４００へ情報を書き込むための画像出力部１４０とを備えている。
【００６２】
画像読取部１１０は、原稿３００の画像情報を読み取るものである。図２は、画像読取部１１０の構成を示すブロック図である。画像読取部１１０は、レンズ６１０と、ＣＣＤ６２０と、Ａ／Ｄ変換器６３０とを備える。レンズ６１０は、原稿３００に記録された画像の画像情報を光学的に読み取り、読み取ったアナログデータをＣＣＤ６２０に保存する。そしてＡ／Ｄ変換器６３０は、読み取られたアナログデータをデジタルデータに変換する。このデジタルデータは画像処理部１３０に送信される。
【００６３】
画像処理部１３０は、受信部１２０が無線交信素子２００から取得した情報を、出力するための画像データに変換するものである。図３は、画像処理部１３０のブロック図である。画像処理部１３０では、入力インタフェース（以下Ｉ／Ｆと略す）から入力されたデータを、プログラム化された画像処理によって判別し最適化することによって、出力するための画像データに変換する。
【００６４】
画像出力部１４０は、出力媒体４００に対して、画像処理部１３０によって形成された画像データから画像を出力するものである。画像出力部１４０の出力方式としては、電子写真方式、インクジェット方式等がある。出力媒体４００としては、普通紙、コート紙、ＯＨＰシートなどを例示することができる。
【００６５】
次に、無線交信素子２００について説明する。無線交信素子２００は、情報を電子的に保持して電磁誘導により非接触で情報伝達するＩＤ素子（ＲＦＩＤ：Radio Frequency IDentification）を意味する。無線交信素子２００は、無線通信機能と、情報を記憶するメモリから構成されている。以下の説明では、符号２００をＲＦＩＤと称する場合がある。
【００６６】
原稿３００には、情報を記録したＲＦＩＤ２００が付されている。図４は、ＲＦＩＤ２００の構成を示すブロック図である。
ＲＦＩＤ２００は、アンテナ部２１０、電源部２２０、およびメモリ部２３０を備えている。ＲＦＩＤ２００は、既知の技術であり、動作原理としては外部から与えられた電波から、アンテナ部２１０において電流を誘起し、電荷を電源部２２０に蓄積すると共に、電源部２２０に蓄積された電荷から得た電力を用いて、メモリ部２３０に記憶された情報をアンテナ部２１０より電波を用いて送信するよう動作する。メモリ部２３０は、読み出し専用型および読み書き可能型のいずれであってもよい。メモリ部２３０には、通常、半導体メモリが用いられる。
【００６７】
一般に、無線交信素子の通信距離は、主に電磁波の周波数によって決まる。すなわち、低周波のものは、通信距離が長く、高周波のものは、通信距離が短い特性がある。低周波のものは、占有容積が大きく、コストも高い。しかし、通信距離が１０ｍ程度まで可能であるため、遠隔通信に向く。一方、高周波のものは、通信距離が１ｍｍから数ｃｍと短い。しかも、全体を微小サイズに形成することができるため、占有容積が小さく、シート状に加工可能であり、コストを低減することが可能となる。
【００６８】
本発明で利用するＲＦＩＤ２００は、遠隔通信の必要ないため、高周波を利用する方式のものが好ましい。本発明で好ましく利用できるＲＦＩＤ２００の通信距離は数ｍｍ以下である。これは、消費電力が小さくてすむこと、混信を防止できること、小型化できることを考慮したものである。また、小型化できることに伴い、シート状の対象物に取り付けて用いることに適している。
【００６９】
第１の実施の形態において、ＲＦＩＤ２００は、原稿３００に付されている。
ＲＦＩＤ２００に記憶されている電子情報は、ＲＦＩＤ２００が付された原稿３００に記録された画像の電子情報である。この電子情報は、ＪＰＥＧファイル、ＢＭＰファイルのようなイメージデータ、もしくはＰＤＦファイル、ＨＴＭＬファイルのような汎用的に使用されている電子情報からなる。
【００７０】
受信部１２０は、ＲＦＩＤ２００から原稿３００に記録された画像の電子情報を受信する。この際、図１に示すように、原稿３００に付されているＲＦＩＤ２００を受信部１２０へ近接させ、ＲＦＩＤ２００から電子情報を受信する。受信部１２０が受信した画像の電子情報は、画像処理部１３０に送信される。
【００７１】
画像処理部１３０は、受信部１２０から受信した画像の電子情報を出力用の画像データに変換し、画像出力部１４０に送信する。そして、画像出力部１４０は、画像処理部１３０から受信した画像データから、前記画像を出力媒体４００に出力する。
【００７２】
従来の複写ではアナログ情報である原稿情報をデジタル情報に変換するために、光学的な読み取りによる画像読取部１１０を使用していた。画像読取における光学変換の際には、図２に示したようにレンズ６１０やＣＣＤ６２０のＭＴＦ特性と言った物理的な要因があるため、Ａ／Ｄ変換器６３０によってＡ／Ｄ変換した電子情報は原稿３００の原稿情報と比較して品質劣化を避けることはできなかった。
【００７３】
これに対し、第１の実施の形態は、原稿３００に付されたＲＦＩＤ２００から受信した電子情報から直接出力するため、原稿情報をデジタル情報に変換する際に生じる品質劣化を防止することができ、出力媒体４００に高品位な画像を形成することができる。
【００７４】
（第２の実施の形態）
図５は、第２の実施の形態にかかる画像出力装置と外部ネットワークとの全体構成を示す図である。尚、上述の実施の形態１に係る画像出力装置と同一の構成を有するものには、同一の符号を付してその説明を省略する。
【００７５】
第２の実施の形態にかかる画像出力装置は、情報を送受信可能な通信制御部１５０と、ＨＤＤ等からなる大容量記憶部１６０を具備することを特徴とする。
【００７６】
通信制御部１５０は、受信部１２０および大容量記憶部１６０と接続されている。また、通信制御部１５０は、インターネット５００に接続されており、ＬＡＮ５１０を介して外部サーバ５２０と情報の送受信を行う。
【００７７】
第２の実施の形態において、ＲＦＩＤ２００には、ＲＦＩＤ２００が付された原稿３００に記録された画像の電子情報の所在を示す情報、すなわち、出力の対象となる電子情報の所在情報が記録されている。電子情報の所在情報は、例えば、インターネットアドレス情報等である。受信部１２０は、ＲＦＩＤ２００から、出力の対象となる電子情報の所在情報を受信し、受信した所在情報を通信制御部１５０に送信する。
【００７８】
通信制御部１５０は、出力の対象となる電子情報がインターネット５００上の外部サーバ５２０にある場合には、ＬＡＮ５１０を介して外部サーバ５２０にアクセスし、出力の対象となる電子情報を取得する。また、出力の対象となる電子情報が、ローカルにある大容量記憶部１６０である場合には、大容量記憶部１６０から出力の対象となる電子情報を取得する。
【００７９】
通信制御部１５０が受信した画像の電子情報は、画像処理部１３０に送信される。画像処理部１３０は、受信部１２０から受信した画像の電子情報を出力用の画像データに変換し、画像出力部１４０に送信する。そして、画像出力部１４０は、画像処理部１３０から受信した画像データから、前記画像を出力媒体４００に出力する。
【００８０】
第２の実施の形態による構成では、通信制御部１５０が外部サーバ５２０または大容量記憶部１６０から受信した電子情報は、ＬＡＮ５１０に接続している他の画像出力装置やパソコンをはじめとする他の記憶装置５３０に記憶させたり表示させたりすることもできる。
【００８１】
第１の実施の形態による構成では、ＲＦＩＤ２００に記憶されている電子情報は、出力の対象となる電子情報そのものを所持する必要があるため、ＲＦＩＤ２００で記憶するメモリ容量が多くなってしまい、ＲＦＩＤ２００のメモリ部が大型化し、高コストになってしまうと言う欠点があった。これに対し、第２の実施の形態による構成では、ＲＦＩＤ２００には出力の対象となる電子情報の所在情報だけを記憶させ、出力の対象となる電子情報は外部サーバ５２０または接続している大容量記憶部１６０から取得することにより、出力媒体４００に高品位な画像を形成することができる。これによって、ＲＦＩＤ２００のメモリ容量を最小限に押さえることが可能となり、ＲＩＦＤ２００を小型化、低コスト化することが可能となる。
【００８２】
（第３の実施の形態）
第３の実施の形態は、第１の実施の形態の応用例であり、原稿３００に記録された画像と、ＲＦＩＤ２００に記録された画像の電子情報が略一致した場合に、ＲＦＩＤ２００から受信した電子情報から画像を出力するものである。ＲＦＩＤ２００に誤った情報が記録されている場合がありうるが、第３の実施の形態は、このような場合は、ＲＦＩＤ２００から受信した電子情報を使用しないこととし、間違った情報に基づいた印刷を未然に防止するものである。なお、本実施の形態の画像形成装置の構成は、実施の形態１の画像出力装置と同様であるので説明を省略する。
【００８３】
第３の実施の形態においては、第１の実施の形態と同じく、ＲＦＩＤ２００に記憶されている電子情報は、ＲＦＩＤ２００が付された原稿３００に記録された画像そのものの電子情報である。受信部１２０は、ＲＦＩＤ２００から原稿３００に記録された画像の電子情報を受信する。受信部１２０が受信した画像の電子情報は、画像処理部１３０に送信される。
【００８４】
画像読取部１１０は、原稿３００に記録された画像の画像情報を光学的に読み取り、アナログ情報である原稿情報をデジタル情報に変換する。
【００８５】
画像処理部１３０は、画像読取部１１０から原稿のデジタルデータを受信するとともに、受信部１２０からＲＦＩＤ２００から得た電子情報を受信する。画像処理部１３０は、原稿のデジタルデータと、ＲＦＩＤ２００から得た電子情報とを比較し、これらが略一致する場合は、ＲＦＩＤ２００に記録されていた電子情報が正しいデータであると判定する。
【００８６】
ＲＦＩＤ２００に記録されていた電子情報が正しいデータであると判定された場合、画像処理部１３０は、受信部１２０から受信した画像の電子情報を出力用の画像データに変換し、画像出力部１４０に送信する。一方、ＲＦＩＤ２００に記録されていた電子情報が正しいデータでないと判定された場合、画像処理部１３０は、原稿のデジタルデータから出力用の画像データを形成し、画像出力部１４０に送信する。そして、画像出力部１４０は、画像処理部１３０から受信した画像データから、前記画像を出力媒体４００に出力する。
【００８７】
第３の実施の形態は、ＲＦＩＤ２００から取得した電子情報が原稿の画像と一致しているか確認した上で、ＲＦＩＤ２００から取得した電子情報から画像を出力するため、出力媒体４００に高品位な画像を形成することができるとともに、間違った情報に基づいた印刷を未然に防止することが可能となる。
【００８８】
（第４の実施の形態）
本発明の第４の実施の形態では、原稿３００に記録された画像を読み取って出力媒体に出力する画像出力装置であって、ＲＦＩＤ２００に記憶されている電子情報は、当該ＲＦＩＤ２００が付されている原稿３００に記載された画像の構成情報であり、最適な読み取り条件で原稿から画像を読み取るとともに、最適な画像処理を施して出力することを特徴とする。第４の実施の形態では、原稿３００を複写するため原稿３００に記録された画像を読み取るが、読み取る原稿３００の構成を事前に知ることができるので、最適な読み取り条件で読み取ることができる。なお、本実施の形態の画像形成装置の構成は、実施の形態１の画像出力装置と同様であるので説明を省略する。
【００８９】
第４の実施の形態において、ＲＦＩＤ２００に記憶されている画像の構成情報とは、具体的には、原稿３００上にあるテキストとイメージの配置、イメージを形成する網点や万線といった画像処理方法、線数、テキストや表やグラフなどの配色情報、などである。
【００９０】
受信部１２０は、ＲＦＩＤ２００から原稿３００に記録された画像の構成情報を受信する。受信部１２０が受信した画像の構成情報は、画像読取部１１０および画像処理部１３０にそれぞれ送信される。
【００９１】
画像読取部１１０は、原稿３００の構成情報に従って、それに最適な読み取り条件で原稿３００から画像情報を読み取り、読み取った画像情報を画像処理部１３０に送信する。
【００９２】
画像処理部１３０は、画像読取部１１０から画像情報を受信する。画像処理部１３０は、原稿３００の画像の構成情報に従って、画像読取部１１０が読み取った画像情報に画像処理を施すことにより、出力する画像データを形成する。
【００９３】
従来は原稿３００に記載された画像の構成情報がなく、画像読取部１１０で読み取った後に図３に示したようにプログラム化された画像処理によってこれらを判別し最適化していた。このため、テキストやイメージが入り組んでいる原稿については、画像の種類を誤認したりして、常に最適化することは困難であった。
【００９４】
これに対し、第４の実施の形態においては、ＲＦＩＤ２００に記憶されている電子情報を受信することにより、読み取る原稿３００の構成を事前に知ることができるため、画像読取部１１０は、読み取る原稿３００の構成情報に従って、それに最適な読み取り条件で読み取ることができる。このため、原稿３００を最適な条件で読み取ると共に画像処理部１３０において最適な画像処理を行うことができ、適切なデジタル情報を取得できるため、高品位に複写された出力物を得ることができる。
【００９５】
（第５の実施の形態）
本発明の第５の実施の形態では、原稿３００に記録された画像を読み取って出力媒体に出力する画像出力装置であって、ＲＦＩＤ２００に記憶されている電子情報は、原稿３００に記録された画像のうち秘匿情報に該当する画像の情報であり、原稿３００に記載されている秘匿情報を取り除き、公開することのできる情報のみ複写することを特徴とする。具体的は図６に示したように商談等で提示した原稿３００を複写して相手に渡す必要が生じた時に原稿３００の中に含まれる秘匿情報３１０を除外して複写しようとする場合に好適に利用できる。なお、本実施の形態の画像形成装置の構成は、実施の形態１の画像出力装置と同様であるので説明を省略する。
【００９６】
第５の実施の形態において、原稿３００は、図６に示すように画像の一部に秘匿情報３１０を含んでおり、原稿３００に付されたＲＦＩＤ２００には、この秘匿情報３１０が記載されている位置を特定する情報や、この秘匿情報３１０と置き換えられる情報、置き換えられる情報の所在を示す情報等が記憶されている。
【００９７】
オペレータが原稿３００を画像読取部１１０に近接させると、画像読取部１１０が原稿を読み取ると同時に、受信部１２０は原稿３００に付されたＲＦＩＤ２００から電子情報を取得する。原稿の画像情報、およびＲＦＩＤ２００から受信した電子情報は、それぞれ画像処理部１３０に送信される。
【００９８】
画像処理部１３０は、画像読取部１１０から取得した画像情報に対して、ＲＦＩＤ２００より取得した情報を元に、秘匿情報３１０を削除、もしくは、公開しても差し支えない情報に置き換える処理を施して出力する画像データを形成し、画像出力部１４０に送信する。公開しても差し支えない情報とは、例えば、すでに公開された公開情報４１０などである。画像出力部１４０は送信された画像データを紙に出力する。これにより、原稿に記載された画像から秘匿情報３１０を取り除いた画像を出力媒体４００に出力することができる。
【００９９】
従来は、一部に秘匿情報を含む原稿から秘匿情報を取り除いた画像を出力しようとした場合、秘匿情報が記載された部分が読み込まれないよう、画像の読み取り段階でオペレータが秘匿情報が記載された部分を覆う等の手間を要していたが、第５の実施の形態によればかかる問題を解決することができる。
【０１００】
（第６の実施の形態）
本発明の第６の実施の形態では、原稿３００に記録された画像を読み取って、出力媒体に出力する画像出力装置であって、ＲＦＩＤ２００に記憶されている電子情報は、原稿３００に記録されていない情報であり、原稿３００に記録されていない情報を追記した画像を出力することを特徴とする。具体的には、図７に示したように原稿３００作成時には掲載することのできなかった最新情報４２０をリアルタイムで取得し追記して出力する、一般には秘匿情報４３０であるため原稿には掲載されていないが、必要に応じて、この秘匿情報４３０を原稿に追記した出力物を得たい場合等に好適に利用できる。なお、本実施の形態の画像形成装置の構成は、実施の形態１の画像出力装置と同様であるので説明を省略する。
【０１０１】
第６の実施の形態においては、原稿３００に付されたＲＦＩＤ２００には、原稿に追記する画像の電子情報や、追記する位置の情報、追記する電子情報の所在を示す情報が記憶されている。そして、得られる出力物には、図７に示すように原稿３００には記載されていない情報が追記される。
【０１０２】
オペレータが原稿３００を画像読取部１１０に近接させると、画像読取部１１０が原稿を読み取ると同時に、受信部１２０は原稿３００に付されたＲＦＩＤ２００から電子情報を取得する。読み取られた原稿の画像情報、およびＲＦＩＤ２００から受信した電子情報は、それぞれ画像処理部１３０に送信される。
【０１０３】
画像処理部１３０は、画像読取部１１０から取得した画像情報に対して、ＲＦＩＤ２００より取得した情報を元に、追記情報を追記した画像データを合成し、画像出力部１４０に送信する。画像出力部１４０は送信された画像データを紙に出力する。第６の実施の形態によれば、原稿に対して最新情報４２０や秘匿情報４３０と言った追加情報を加えた出力物を得ることができる。
【０１０４】
（第７の実施の形態）
本発明の第７の実施の形態では、原稿３００に記録された画像を読み取って、出力媒体に出力する画像出力装置であって、出力媒体４００に適した条件で画像出力を行うことで高品位な画像を出力することを特徴とする。出力媒体４００には、様々な種類があり、それぞれ最適な画像処理条件、画像の出力条件が異なるが、ＲＦＩＤ２００に出力媒体４００に関する情報を記載しておき、これを読み取り、出力媒体４００に対して最適な画像処理条件、画像の出力条件を設定することによって、高品位な画像を出力することができる。
【０１０５】
図８は、本発明の第７の実施の形態にかかる画像出力装置の構成を示すブロック図である。尚、上述の実施の形態１に係る画像出力装置と同一の構成を有するものには、同一の符号を付してその説明を省略する。第７の実施の形態にかかる画像出力装置は、媒体格納部１７０を具備しており、この媒体格納部１７０には出力媒体４００が収納されている。
【０１０６】
第７の実施の形態において、ＲＦＩＤ２００は、出力媒体４００または出力媒体４００を梱包する梱包材に付されている。ＲＦＩＤ２００が出力媒体４００に付されている場合、ＲＦＩＤ２００から情報を受信する受信部１２１は、出力媒体４００を収納する媒体格納部１７０から出力媒体が画像出力部１４０に搬送されるルートの近傍に配置される。ＲＦＩＤ２００が出力媒体４００を梱包する梱包材に付されている場合、受信部１２１は、出力媒体４００を収納する媒体格納部１７０の近傍に配置される。
【０１０７】
第７の実施の形態において、ＲＦＩＤ２００に記録された情報は、出力媒体４００の種類、厚さ、出力媒体４００に対して最適な画像処理条件、画像出力条件等である。特に画像形成プロセスが電子写真プロセスである場合は、出力媒体の種類と厚みは定着プロセスにおける重要な制御因子であり、適正な出力物を得るためには、画像を出力した後、定着におけるニップ時間や定着温度を制御する必要がある。また、インクジェット方式による画像形成プロセスにおいてもコート紙と普通紙では射出する液量や画像処理方法を制御する必要がある。
【０１０８】
オペレータが原稿３００を画像読取部１１０に近接させると、画像読取部１１０は、原稿を読み取り、原稿の画像情報を画像処理部１３０に送信する。受信部１２１は、出力媒体４００または出力媒体４００を梱包する梱包材に付されたＲＦＩＤ２００から出力媒体４００に関する情報を受信し、画像処理部１３０および画像出力部１４０にそれぞれ送信する。
【０１０９】
画像処理部１３０は、画像読取部１１０から取得した画像情報に対して、出力媒体４００に関する情報を元に、最適な画像処理を施して画像データを形成し、画像出力部１４０に送信する。画像出力部１４０は、出力媒体４００に関する情報を元に、最適な出力条件で画像データを紙に出力する。第７の実施の形態によれば、出力媒体４００に対して最適な画像処理、出力条件で画像を出力できるため、高品位な画像を出力することができる。
【０１１０】
従来はオペレータが出力する媒体を画像出力装置に指示し、その指示に適した画像形成プロセスにより出力物を得ていたが、オペレータの指示によっては適切でない出力物が得られるケースもあった。本発明によれば、ＲＦＩＤ２００に出力媒体４００に関する情報を記載しておき、これを読み取り、最適な画像処理条件、画像の出力条件を設定することによって、適切な出力物を確実に得ることができる。
【０１１１】
（第８の実施の形態）
本発明の第８の実施の形態では、外部装置から受信したデータを出力する画像出力装置であって、出力媒体４００に適した条件で画像出力を行うことで高品位な画像を出力することを特徴とする。
【０１１２】
図９は、本発明の第８の実施の形態にかかる画像出力装置の構成を示すブロック図である。第８の実施の形態にかかる画像出力装置１００は、ＲＦＩＤ２００から出力媒体に関する情報を受信する受信部１２１と、パソコン等の外部装置７００から出力画像の画像情報を受信し出力用の画像データを形成する画像処理部１３０と、当該画像データから画像を出力する画像出力部１４０と、出力媒体４００を収納する媒体格納部１７０とを備えている。
【０１１３】
第８の実施の形態において、ＲＦＩＤ２００は、出力媒体４００または出力媒体４００を梱包する梱包材に付されている。ＲＦＩＤ２００には、出力媒体４００の種類、厚さ、出力媒体４００に対して最適な画像処理条件、画像出力条件等の情報が記録されている。
【０１１４】
第８の実施の形態では、パソコン等の外部装置７００で作成したファイルを出力する。画像処理部１３０は、外部装置７００から出力画像の画像情報を受信する。
【０１１５】
受信部１２１は、出力媒体４００または出力媒体４００を梱包する梱包材に付されたＲＦＩＤ２００から出力媒体４００に関する情報を受信し、画像処理部１３０および画像出力部１４０にそれぞれ送信する。
【０１１６】
画像処理部１３０は、外部装置７００から取得した画像情報に対して、出力媒体４００に関する情報を元に、最適な画像処理を施して画像データを形成し、画像出力部１４０に送信する。画像出力部１４０は、出力媒体４００に関する情報を元に、最適な出力条件で画像データを紙に出力する。第８の実施の形態によれば、出力媒体４００に対して最適な画像処理、出力条件で画像を出力できるため、高品位な画像を出力することができる。
【０１１７】
従来はオペレータが出力する媒体を画像出力装置に指示し、その指示に適した画像形成プロセスにより出力物を得ていたが、オペレータの指示によっては適切でない出力物が得られるケースもあった。本発明によれば、ＲＦＩＤ２００に出力媒体４００に関する情報を記載しておき、これを読み取り、最適な画像処理条件、画像の出力条件を設定することによって、適切な出力物を確実に得ることができる。
【０１１８】
（第９の実施の形態）
本発明の第９の実施の形態は、外部装置から受信したデータを出力する画像出力装置であって、出力媒体４００に付されたＲＦＩＤに出力した画像に関連する情報を書き込むことを特徴とする。
【０１１９】
図１０は、本発明の第９の実施の形態にかかる画像出力装置の構成を示すブロック図である。第９の実施の形態にかかる画像出力装置１００は、外部装置７００から情報を受信し出力用の画像データを形成する画像処理部１３０と、当該画像データから画像を出力する画像出力部１４０と、画像処理部１３０が外部装置７００から受信した情報をＲＦＩＤ２０１に書き込む書込部１２２と、出力媒体４００を収納する媒体格納部１７０とを備えている。媒体格納部１７０には、無線交信によって情報を書込可能なＲＦＩＤ２０１が付された出力媒体４００が収納されている。
【０１２０】
第９の実施の形態では、図１０に示すように外部装置７００で作成したファイルを出力する際に、書込部１２２は、画像処理部１３０から、出力した画像に関連する情報を受信し、出力媒体４００に付されたＲＦＩＤ２０１に、出力した画像に関連する情報を書き込む。出力した画像に関連する情報としては、出力した原稿の電子情報、その電子情報の所在を示す情報、出力するために行った画像処理方法や色に関する情報、出力に関するログ、即ち出力日時、場所、出力者、枚数などを例示することができる。
【０１２１】
書込部１２２は、画像出力部１４０で画像が出力される前に情報を書き込んでも、画像が出力された後に情報を書き込んでもどちらでも良い。
【０１２２】
第９の実施の形態によって、画像を出力した出力物を原稿として利用する場合、出力物に付されたＲＦＩＤ２０１から情報を読み取って出力画像に反映させることにより高品位な出力物を得ることができ、出力物を次工程で活用するための付加価値を高めることができる。
【０１２３】
（第１０の実施の形態）
本発明の第１０の実施の形態は、外部装置から受信したデータを出力する画像出力装置であって、ＲＦＩＤに出力した画像に関連する情報を書込み、このＲＦＩＤを出力媒体４００に付することを特徴とする。
【０１２４】
図１１は、本発明の第１０の実施の形態にかかる画像出力装置の構成を示すブロック図である。第１０の実施の形態にかかる画像出力装置１００は、外部装置７００から情報を受信し出力用の画像データを形成する画像処理部１３０と、当該画像データから画像を出力する画像出力部１４０と、画像処理部１３０が外部装置７００から受信した情報をＲＦＩＤ２０１に書き込む書込部１２２と、書込部１２２で情報を書き込んだＲＦＩＤ２０１を出力媒体４００に付する無線交信素子付加部１２３と、出力媒体４００を収納する媒体格納部１７０とを備えている。
【０１２５】
第１０の実施の形態では、図１１に示すようにパソコン等の外部装置７００で作成したファイルを出力する際に、書込部１２２は、画像処理部１３０から、出力した画像に関連する情報を受信し、無線交信によってＲＦＩＤ２０１に出力した画像に関連する情報を書き込む。出力した画像に関連する情報としては、出力した画像の電子情報、その電子情報の所在を示す情報、出力するために行った画像処理方法や色に関する情報、出力に関するログ、即ち出力日時、場所、出力者、枚数などを例示することができる。
【０１２６】
無線交信素子付加部は、この情報を書き込んだＲＦＩＤ２０１を出力媒体４００に付する。このＲＦＩＤ２０１は、画像出力部１４０で画像が出力される前に付されていても、画像が出力された後に付されてもどちらでも良い。
【０１２７】
第１０の実施の形態によって、画像を出力した出力物を原稿として利用する場合、出力物に付されたＲＦＩＤ２０１から情報を読み取って出力画像に反映させることにより高品位な出力物を得ることができ、出力物を次工程で活用するための付加価値を高めることができる。
【産業上の利用可能性】
【０１２８】
以上のように、本発明にかかる画像出力装置は、原稿や出力媒体に付した無線交信素子を用いて、原稿に対して付加価値を高めた上で画像を出力できる点で極めて有用であり、特に、複写機、プリンタ等に適している。
【図面の簡単な説明】
【０１２９】
【図１】本発明の第１の実施の形態にかかる画像出力装置の構成を示す斜視図である。
【図２】本発明で用いられる画像読取部１１０の構成を示すブロック図である。
【図３】本発明で用いられる画像処理部１３０で行われる画像処理のフローチャートである。
【図４】本発明で用いられる無線交信素子（ＲＦＩＤ２００）の構成を示すブロック図である。
【図５】本発明の第２の実施の形態にかかる画像出力装置と外部ネットワークとの全体構成を示す図である。
【図６】本発明の第５の実施の形態で用いられた原稿と出力物のイメージを示す図である。
【図７】本発明の第６の実施の形態で用いられた原稿と出力物のイメージを示す図である。
【図８】本発明の第７の実施の形態にかかる画像出力装置の構成を示す斜視図である。
【図９】本発明の第８の実施の形態にかかる画像出力装置の構成を示す斜視図である。
【図１０】本発明の第９の実施の形態にかかる画像出力装置の構成を示す斜視図である。
【図１１】本発明の第１０の実施の形態にかかる画像出力装置の構成を示す斜視図である。
【符号の説明】
【０１３０】
１００  画像出力装置
１１０  画像読取部
１２０、１２１  受信部
１２２  書込部
１２３  書込部
１３０  画像処理部
１４０  画像出力部
１５０  通信制御部
１６０  大容量記憶部
１７０  媒体格納部
２００、２０１  無線交信素子（ＲＦＩＤ）
２１０アンテナ部
２２０  電源部
２３０  メモリ部
３００  原稿
３１０  秘匿情報
３２０  公開情報
４００  出力媒体
４１０  削除部位または公開情報
４２０  最新情報
４３０  秘匿情報
４５０  梱包材
５００  インターネット
５１０  ＬＡＮ
５２０  外部サーバ
５３０  パソコン
６１０  レンズ
６２０  ＣＣＤ
６３０  Ａ／Ｄ変換器
７００  外部装置（パソコン）
【図１】
2005225100.tif 000003
【図２】
2005225100.tif 000004
【図３】
2005225100.tif 000005
【図４】
2005225100.tif 000006
【図５】
2005225100.tif 000007
【図６】
2005225100.tif 000008
【図７】
2005225100.tif 000009
【図８】
2005225100.tif 000010
【図９】
2005225100.tif 000011
【図１０】
2005225100.tif 000012
【図１１】
2005225100.tif 000013